(57)【要約】【課題】開口の大きさが固着具、工具の全長に比べて小さくとも、工具を用いて意匠部材を開口内に簡単に取付けできるようにする。【解決手段】意匠部材５にブラケット１０を固着し、このブラケット１０の壁取付部１２を壁３の開口４の内面４ａに固着具２０で固着することで意匠部材５を開口４内に取付け、前記壁取付部１２は取付面１２ａと座面１２ｂと取付用孔１２ｃを有し、その座面１２ｂを斜めとすると共に、取付用孔１２ｃは座面１２ｂと直角とすることで、固着具２０は開口４の内面４ａと直角に対して頭部２０ａが壁３の裏面３ｂ寄りとなるように斜めとなり、工具３０を斜めとして開口４内に入れて固着具２０を回転操作できるようにする。【選択図】図４
2007092294.tif 000002
【特許請求の範囲】
【請求項１】
壁の表面と裏面に亘って連通した開口内に、意匠部材を取付けした意匠部材付き開口を有した壁体であって、
前記意匠部材にブラケットを固着し、このブラケットの壁取付部を固着具で前記開口の内面に固着することで意匠部材を開口内に取付け、
前記壁取付部は、開口の内面に接する取付面と、固着具の頭部が押しつけられる座面と、固着具が挿通する取付用孔を有し、前記取付面は開口の内面と平行で、前記座面は取付面に対して傾斜した斜面で、前記取付用孔は座面と直角で、固着具は開口の内面と直角に対して頭部が壁裏面寄りである斜めとなるようにしたことを特徴とする意匠部材付き開口を有した壁体。
【請求項２】
ブラケットの壁取付部に形成した取付用孔の一端部は、取付面にのみ開口し、他端部は座面にのみ開口している請求項１記載の意匠部材付き開口を有した壁体。
【発明の詳細な説明】
【技術分野】
【０００１】
本発明は、主として、バルコニーの壁、外階段の壁、玄関前の遮蔽用壁などの建物付設物の壁として用いられる意匠部材付き開口を有した壁体に関する。
【背景技術】
【０００２】
バルコニーの壁としては、意匠部材付き開口を有したものが知られている。
例えば、特許文献１に開示されたように、バルコニーの壁に中抜きと呼ばれる開口を形成し、この開口に意匠部材として格子を取付けて意匠部材付き開口としている。
【０００３】
【特許文献１】特開２００３−２６８８６９号公報
【発明の開示】
【発明が解決しようとする課題】
【０００４】
前述のように、開口内に意匠部材を取付けるためには、その開口内に意匠部材を入れ、木ねじ、ビス、ボルト・ナットなどの固着具によって意匠部材を開口の内面に固着して取付けることになる。
前述のように固着具によって意匠部材を開口の内面に固着して取付けるには、開口内に固着具を入れて内面と直角とし、ドライバーなどの工具を開口内に入れて開口の内面と直角として回転操作することで、固着具を回転して取付けるのが一般的である。
このようであるから、開口の大きさが固着具、工具の全長に比べて小さい場合には、工具を開口内に入れ、その工具を開口の内面と直角として固着具を回転操作できなかったり、工具を開口内に入れて内面と直角とすることができるが、その工具を手で持って回転するスペースを確保できずに固着具をスムーズに回転操作できないことがある。
いずれにしても、開口の大きさが固着具、工具の全長に比べて小さい場合には、工具を用いて意匠部材を開口内に簡単に取付けできない。
【０００５】
本発明の目的は、開口の大きさが固着具、工具の全長に比べて小さくとも、工具を用いて意匠部材を開口内に簡単に取付けできるようにした意匠部材付き開口を有した壁体とすることである。
【課題を解決するための手段】
【０００６】
本発明は、壁の表面と裏面に亘って連通した開口内に、意匠部材を取付けした意匠部材付き開口を有した壁体であって、
前記意匠部材にブラケットを固着し、このブラケットの壁取付部を固着具で前記開口の内面に固着することで意匠部材を開口内に取付け、
前記壁取付部は、開口の内面に接する取付面と、固着具の頭部が押しつけられる座面と、固着具が挿通する取付用孔を有し、前記取付面は開口の内面と平行で、前記座面は取付面に対して傾斜した斜面で、前記取付用孔は座面と直角で、固着具は開口の内面と直角に対して頭部が壁裏面寄りである斜めとなるようにしたことを特徴とする意匠部材付き開口を有した壁体である。
【０００７】
本発明においては、ブラケットの壁取付部に形成した取付用孔の一端部は、取付面にのみ開口し、他端部は座面にのみ開口していることが好ましい。
【０００８】
このようにすれば、固着具が壁の表面側に露出することがなく、壁の表面側から固着具が見えないので意匠性が良い。
【発明の効果】
【０００９】
本発明によれば、固着具を回転操作する工具を、壁の裏面側から斜めとして開口内に入れて固着具を回転操作してブラケットの壁取付部を開口の内面に固着して意匠部材を取付けできる。
よって、開口の大きさが固着具、工具の全長に比べて小さくとも、工具を用いて意匠部材を開口内に簡単に取付けできる。
【００１０】
また、固着具は開口の内面と直角に対して斜めであるから、その固着具に対してブラケットが回転することがない。
よって、固着具で意匠部材を取付けした場合に、その意匠部材が固着具を中心として回転することがない。
【発明を実施するための最良の形態】
【００１１】
図１に示すように、建物１の付設物であるバルコニー２の壁３には、中抜けと呼ばれる開口４が形成され、その開口４内に意匠部材５が取付けてある。この開口４は中抜けと呼ばれる四周が囲まれた穴形状に限ることはなく、壁３の上面、下面、側面のいずれか１つの面に開放した掘り込みと呼ばれる形状であっても良い。
これによって、前記バルコニー２の壁３は、意匠部材付き開口を有した壁体としてある。
前記開口４は、図２、図３に示すように壁３の表面３ａ（厚さ方向一側面）から裏面３ｂ（厚さ方向他側面）に連通している。この実施の形態では裏面３ｂがバルコニーの床上空間側である。
前記意匠部材５は図２、図３に示すように縦部材５ａと横部材５ｂで格子状となっている。意匠部材５は格子状に限ることはなく、鋳物パネル、パンチングパネルなど何でも良い。
前記横部材５ｂにブラケット１０が固着され、そのブラケット１０を開口４の内面４ａに固着具２０で固着して取付けてある。この実施の形態では横部材５ｂの長手方向両端部にブラケット１０がそれぞれ固着され、そのブラケット１０が開口４の左右の縦向きの内面４ａに固着具２０でそれぞれ固着してある。
【００１２】
前記ブラケット１０は図４に示すように意匠部材取付部１１と壁取付部１２を備え、その意匠部材取付部１１の長孔１１ａからボルト１３を横部材５ｂに螺合してブラケット１０を横部材５ｂの裏面５ｃに固着し、壁取付部１２が意匠部材５よりも壁３の裏面３ｂ寄りとなるようにしてある。
前記壁取付部１２は開口４の内面４ａに接する取付面１２ａと、固着具２０の頭部２０ａが押しつけられる座面１２ｂと、この座面１２ｂと取付面１２ａとに貫通した取付用孔１２ｃを有し、壁３の裏面３ｂ側から固着具２０で固着される。
前記取付面１２ａは開口４の内面４ａと平行で、その取付面１２ａの全面が開口４の内面４ａに均一に接する。
前記座面１２ｂは、取付面１２ａと平行に対して、その座面１２ｂの壁裏面側（意匠部材取付部１１と反対側）が取付面１２ａに近く、壁表面側（意匠部材取付部１１側）が取付面１２ａから遠くなるように傾斜した斜面である。
前記取付用孔１２ｃは座面１２ｂと直角で、この取付用孔１２ｃは開口４の内面４ａと直角に対して座面１２ｂに開口した部分が壁裏面寄りで、取付面１２ａに開口した部分が壁表面寄りとなるように斜めである。
【００１３】
このようであるから、固着具２０を取付用孔１２ｃに挿通した時に、その固着具２０は開口４の内面４ａと直角に対して頭部２０ａが壁裏面寄りとなるように斜めとなるので、工具３０を開口４の内面４ａと直角に対して斜めとして固着具２０を回転操作できる。
よって、工具３０を開口４内に入れて内面４ａと直角とすることなしに、図４に示すように、壁３の裏面３ｂ側から工具３０を斜めに開口４内に入れ、その工具３０で固着具２０を回転操作できる。
したがって、開口４の大きさが固着具２０、工具３０の全長に比べて小さくとも、工具３０を用いて意匠部材５を開口４内に簡単に取付けできる。
【００１４】
前述のようにして固着具２０の頭部２０ａが底面１２ｂに押しつけられ、取付面１２ａを開口４の内面４ａに押しつけてブラケット１０の壁取付部１２を開口４の内面４ａに固定する。
【００１５】
前述のように、固着具２０でブラケット１０を開口４の内面４ａに固着して意匠部材５を取付けた状態で、その固着具２０は開口４の内面４ａと直角に対して斜めであるから、ブラケット１０は固着具２０を中心として回転することができない。
よって、固着具２０で意匠部材５を取付けした場合に、意匠部材５が固着具２０を中心として回転することがない。
【００１６】
なお、図４に示す実施の形態では取付用孔１２ｃの一端部は取付面１２ａにのみ開口し、他端部は座面１２ｂにのみ開口しており、固着具２０は取付面１２ａのみを挿通するようにしてあるので、固着具２０は壁３の表面側（ブラケット１１の壁３の表面側の面）に露出することがなく、壁３の表面側から固着具２０が見えないので、意匠性が良い。
【００１７】
この実施の形態では、壁３が躯体３ｃの表面にモルタル３ｄを装着したものとしてあるので、固着具２０は躯体３ｃに螺合する木ねじとしてある。
これに限ることはなく、固着具２０はビス、ボルトなどでも良い。つまり、固着具２０は回転することで壁３に螺入してブラケット１０の壁取付部１２を開口４の内面４ａに押しつけるものであれば良い。
【００１８】
図４に示す実施の形態においては、ブラケット１０の壁取付部１２と連続して補助取付部１４が一体的に設けてある。
この補助取付部１４の補助取付面１４ａは壁取付部１２の取付面１２ａと一直線状に連続し、この補助取付部１４を補助固着具で開口４の内面４ａに固着できるようにしてある。
このようであるから、開口４が大きく工具３０を開口４内に入れて内面４ａと直角にできる場合などには、この補助取付部１４を補助固着具で開口４の内面４ａに固着することができる。この場合、壁取付部１２で固着せずに補助取付部１４のみで固着して固定することもできるし、壁取付部１２及び補助取付部１４の両方で固着して固定することもできる。
【００１９】
また、バルコニーの壁の開口に限ることはなく、外階段の壁、玄関前の遮蔽用壁などの建物付設物の壁に形成した開口に意匠部材を取付ける場合にも適用できる。
【図面の簡単な説明】
【００２０】
【図１】意匠部材付き開口を有したバルコニーを備えた建物の外観図である。
【図２】意匠部材付き開口の縦断面図である。
【図３】意匠部材付き開口の横断面図である。
【図４】意匠部材付き開口の拡大横断面図である。
【符号の説明】
【００２１】
３…壁、３ａ…表面、３ｂ…裏面、４…開口、４ａ…内面、５…意匠部材、１０…ブラケット、１２…壁取付部、１２ａ…取付面、１２ｂ…座面、１２ｃ…取付用孔、２０…固着具。
【図１】
2007092294.tif 000003
【図２】
2007092294.tif 000004
【図３】
2007092294.tif 000005
【図４】
2007092294.tif 000006